(57)【特許請求の範囲】
【請求項１】
人体から放射される熱線を検知することにより人の存否を検出する人感センサと、人感センサの出力によりトイレ室内への人の入室および退室を検出するとともに、人感センサによりトイレ室内への人の入室が検出された後に人の検出されない状態が規定の点灯保持時間に達するまでの期間は照明負荷を点灯させる照明制御信号を出力し、少なくとも点灯保持時間の満了後から規定の運転維持時間は換気扇の運転を継続させる換気扇制御信号を出力する制御手段と、照明負荷の点灯・消灯を制御する第１の開閉部と、換気扇の運転・停止を制御する第２の開閉部と、第１の開閉部のオン・オフを照明制御信号に連動させる状態と照明制御信号とは無関係にオンまたはオフにする状態を手操作で選択する第１の切換スイッチが接続される第１の入力端子と、第２の開閉部のオン・オフを運転制御信号に連動させる状態と運転制御信号とは無関係にオンまたはオフにする状態を手操作で選択する第２の切換スイッチが接続される第２の入力端子とを備え、天井面に取り付けることを特徴とするトイレ用熱線式自動スイッチ。
【請求項２】
第１および第２の切換スイッチがトイレ室の壁に取り付けられることを特徴とする請求項１記載のトイレ用熱線式自動スイッチ。
【請求項３】
周囲照度を検出する明るさセンサが付加され、前記制御手段では明るさセンサにより検出される周囲照度が規定値以上であるときには照明制御信号による第１の開閉部の制御を無効にして照明負荷を消灯状態に保つことを特徴とする請求項１又は２に記載のトイレ用熱線式自動スイッチ。
【発明の詳細な説明】
【０００１】
【発明の属する技術分野】
本発明は、人体から放射される熱線を検知することによってトイレ室内における人の入室と退室とを検出し、トイレ室内に配置した照明負荷と換気扇とを制御するトイレ用熱線式自動スイッチに関するものである。
【０００２】
【従来の技術】
従来から、トイレ室内への人の入退室に応じて照明負荷を点灯させるとともに換気扇を運転するようにしたトイレ用熱線式自動スイッチが用いられている。この種のトイレ用熱線式自動スイッチは、人体から放射される熱線を検知する熱線センサ（一般に焦電形赤外線センサを用いる）を用いて人の存否を検出する人感センサを備え、人感センサの出力に基づいて人がトイレ室内に存在するか否かを判定している（特開平６−２４９４７７号公報）。すなわち、図１１（ａ）の右半分に示すように、夜間のように周囲が暗いときには、時刻ｔ２において人がトイレ室に入室すると図１１（ｃ）のように照明負荷を点灯させると同時に図１１（ｂ）のように換気扇の運転を開始し、人がトイレ室から退室すると照明負荷を消灯させ、その後、運転維持時間ＡＴ１は換気扇の運転を継続した後に換気扇を停止させるように構成されている。また、図１１（ａ）の左半分に示すように、昼間のように周囲が明るいときには、時刻ｔ１において人がトイレ室に入室しても照明負荷を点灯させることはないが、人の入退室を検知することによって、図１１（ｂ）のように周囲が暗いときと同様に換気扇を運転させる。ここに、図１１（ｂ）の破線部分は照明負荷は点灯しないが人がトイレ室に存在する期間を表している。
【０００３】
人感センサは熱線量の変化を検出することによって人が動いたときに検知信号を出力するように構成されており、人が視野内に存在していても動きがなく熱線量に変化が生じなければ人感センサから検知信号が得られなくなる。つまり、検知信号が得られるときにだけ照明負荷を点灯させる構成とすると人の動きが止まったときには人が熱線センサの視野内に存在するにもかかわらず照明負荷が消灯することになって不都合である。そこで、検知信号の発生毎に検知信号の発生時点から所定の点灯保持時間を時限し、時限中には照明負荷の点灯を継続させる構成が採用されている。言い換えると、点灯保持時間の時限中に検知信号が発生すれば、その時点からあらためて点灯保持時間を再度時限するように構成してあり、人感センサから検知信号の得られない状態が点灯保持時間に達するまでは人が存在するものとみなすようにしてある。このような動作によって点灯保持時間が満了すると人がトイレ室から退室したと判断するのである。そして、換気扇の運転を継続させる運転維持時間ＡＴ１は、点灯保持時間の満了後から時限されることになる。
【０００４】
点灯保持時間については設置環境に応じて調節が必要と考えられており、したがって上記公報に記載のものにおいても点灯保持時間を調節することが可能になっている。つまり、図１１（ｃ）における期間ＡＴ２’は可変になる。また、照明負荷を人感センサに連動させず換気扇のみを人感センサに連動させる場合にも対応可能となるように、照明負荷を人感センサからの検知信号に連動させる状態と検知信号とは無関係にオンまたはオフにする状態とが手操作によって選択可能となるように切換スイッチを設けてある。
【０００５】
たとえば、天井に人感センサを取り付ける場合には、図１２に示すように天井面に当接するフランジ部３１を有した器体３０を用い、器体３０において人感センサの前方に対応する部位にはレンズ３４が配置される。点灯保持時間を調節する操作つまみ１３’や切換スイッチを調節する操作つまみ１７’はフランジ部３１の下面に露出する。さらに、従来構成としては点灯保持時間を調節することができない図１３のような構成もある。
【０００６】
【発明が解決しようとする課題】
ところで、上述した従来構成では換気扇の運転維持時間が固定的に設定されているものであるから、たとえばトイレ室の広さなどの設置環境に応じて運転維持時間を調節することができないものであるから、運転維持時間を調節可能とすることが要求されている。また、換気扇を掃除するときにには換気扇を停止させて照明負荷を連続点灯させるのが望ましいが、換気扇だけを停止させる手段がなく不便である。
【０００７】
本発明は上記事由に鑑みて為されたものであり、その目的は、設置環境や使用目的に応じて換気扇の運転状態を調節ないし変更可能とすることで利便性を向上させたトイレ用熱線式自動スイッチを提供することにある。
【００１０】
【課題を解決するための手段】
請求項１の発明は、人体から放射される熱線を検知することにより人の存否を検出する人感センサと、人感センサの出力によりトイレ室内への人の入室および退室を検出するとともに、人感センサによりトイレ室内への人の入室が検出された後に人の検出されない状態が規定の点灯保持時間に達するまでの期間は照明負荷を点灯させる照明制御信号を出力し、少なくとも点灯保持時間の満了後から規定の運転維持時間は換気扇の運転を継続させる換気扇制御信号を出力する制御手段と、照明負荷の点灯・消灯を制御する第１の開閉部と、換気扇の運転・停止を制御する第２の開閉部と、第１の開閉部のオン・オフを照明制御信号に連動させる状態と照明制御信号とは無関係にオンまたはオフにする状態を手操作で選択する第１の切換スイッチが接続される第１の入力端子と、第２の開閉部のオン・オフを運転制御信号に連動させる状態と運転制御信号とは無関係にオンまたはオフにする状態を手操作で選択する第２の切換スイッチが接続される第２の入力端子とを備え、天井面に取り付けるものである。
【００１１】
請求項２の発明は、請求項１の発明において、第１および第２の切換スイッチがトイレ室の壁に取り付けられるものである。
【００１２】
請求項３の発明は、請求項１又は２の発明において、周囲照度を検出する明るさセンサが付加され、前記制御手段では明るさセンサにより検出される周囲照度が規定値以上であるときには照明制御信号による第１の開閉部の制御を無効にして照明負荷を消灯状態に保つものである。
【００１３】
【発明の実施の形態】
（第１の実施の形態）
本実施形態におけるトイレ用熱線式自動スイッチは、図１に示すように、商用電源が接続される電源端子Ｔ１と、照明負荷が接続される第１の出力端子Ｔ２と、換気扇が接続される第２の出力端子Ｔ３とを備える。電源端子Ｔ１に接続される商用電源は、定電圧回路１１において整流されるとともに安定化され直流定電圧を出力する。この定電圧回路１１から内部回路の電源が供給されることになる。
【００１４】
トイレ室内の人の存否は熱線センサ（焦電形赤外線センサを用いる）を備えた人感センサ１２により検出される。焦電形赤外線センサは微分形のセンサであって、受光した熱線量の変化に応じた振幅の出力電圧を発生させ、熱線センサの出力電圧に規定の閾値以上の変化が生じると人感センサ１２からはパルス状の検知信号が出力される。また、人感センサ１２に用いる焦電形赤外線センサは、人が視野内に存在していても動きがなく熱線量に変化が生じなければ出力電圧が得られないから、人に動きがなければ検知信号は得られない。つまり、検知信号が得られるときにだけ照明負荷を点灯させる構成とすると人の動きが止まったときには人が熱線センサの視野内に存在するにもかかわらず照明負荷が消灯することになって不都合である。そこで、検知信号の発生毎に検知信号の発生時点から所定の点灯保持時間を時限するタイマ１０ａを設けるとともに、タイマ１０ａの時限動作中には照明負荷の点灯を継続させる構成が採用されている。つまり、タイマ１０ａは検知信号によってトリガされると時限動作を行い、かつ再トリガ可能に構成されている。
【００１５】
タイマ１０ａは制御手段としてのマイコン１０により構成され、このマイコン１０にはタイマ１０ａの時限時間を調節するための点灯保持時間設定ボリューム１３も接続される。点灯保持時間設定ボリューム１３ではタイマ１０ａの時限時間を１０秒程度から６分程度の範囲で調節することが可能になっている。さらに、マイコン１０には周囲の明るさを検出する明るさセンサ１４が接続され、明るさセンサ１４によって検出される周囲照度が規定値以上であるときには照明負荷の制御を無効にして照明負荷を消灯状態に保つ。
【００１６】
マイコン１０では、人感センサ１２と明るさセンサ１４との出力に応じて開閉制御部１５，１６に照明制御信号および換気扇制御信号をそれぞれ与え、開閉制御部１５，１６を開閉させることにより照明負荷および換気扇を制御する。開閉部１５，１６はスイッチ要素を含み、スイッチ要素としては、３端子双方向サイリスタ（トライアック）または電磁継電器を用いており、電源端子Ｔ１と各出力端子Ｔ２，Ｔ３との間にそれぞれスイッチ要素が挿入してある。
【００１７】
ところで、明るさセンサ１４により検出される周囲照度に対する規定値は、明るさ設定スイッチ１４ａにより複数段階（本実施形態では２段階）で選択される。また、明るさ設定スイッチ１４ａでは明るさセンサ１４の出力を無効にする状態も選択可能になっている。さらに、マイコン１０には切換スイッチ１７が接続され、人感センサ１２による人の検出に連動して両開閉部１５，１６を開閉させる自動モードと、人感センサ１２の検知出力とは無関係に両開閉部１５，１６をオフに保つ切モードと、人感センサ１２の検知出力とは無関係に両開閉部１５，１６をオンに保つ入モードとの３モードが選択可能になっている。
【００１８】
本実施形態におけるマイコン１０は、換気扇を制御する開閉部１６が照明負荷を制御する開閉部１５と同時にオンになり、開閉部１５のオフ後に１分程度から５分程度に設定される運転維持時間が経過すると開閉部１６がオフになるように制御する機能も備える。運転維持時間はマイコン１０に接続された運転維持時間設定ボリューム１８により調節可能としてある。
【００１９】
上述した熱線式自動スイッチの器体３０は、図２のように下端部にフランジ部３１を有し、フランジ部３１の上面側にハウジング部（図２の裏面側にある：図示せず）を備える形状に形成されている。この器体３０を天井面に取り付けるには、天井面に形成した取付孔（図示せず）にハウジング部を挿入して取付孔の周部下面にフランジ部３１を当接させ、この状態で固定具を用いて器体３０を天井面に固定する。つまり、天井内にスイッチボックス（図示せず）を設けているときには、フランジ部３１に形成したボックス孔３２を通してスイッチボックスに螺合するボックスねじ（図示せず）を固定具として用いる。また、スイッチボックスを用いない場合には、フランジ部３１に結合されてフランジ部３１との間で天井板を挟持することができる挟み板（図示せず）を固定具として用い、フランジ部３１に設けた挿通孔３３を通して回転操作することができる引締ねじに挟み板を螺合させ、引締ねじの回転によって挟み板とフランジ部３１との距離を変化させる。つまり、引締ねじに挟み板を螺合させており、ハウジング部を取付孔に挿入した後に、引締ねじを回転させて挟み板をフランジ部３１に近付けるようにし、挟み板とフランジ部３１との間で取付孔の周部を挟持する。スイッチボックスを用いない場合には、ボックス孔３２に挿通される木ねじを天井材に螺合させて直付けすることも可能である。
【００２０】
上述のようにして器体３０を天井に取り付けると、ハウジング部は天井内に収納されることになる。天井面から下面側に露出するフランジ部３１には人感センサ１２に熱線を入射させるレンズ３４が設けられ、さらにフランジ部３１の下面側には点灯保持時間設定ボリューム１３、明るさ設定スイッチ１４ａ、切換スイッチ１７、運転維持時間設定ボリューム１８の各操作部が露出する。ただし、フランジ部３１の下面側はレンズ３４を除いては化粧プレート（図示せず）により覆われ、これらの操作部は通常は隠蔽されている。化粧プレートはフランジ部３１に対して係脱自在に係合させてあり、上述した操作部を操作する際にはフランジ部３１から取り外すことが可能になっている。
【００２１】
次に動作を説明する。いま、明るさ設定スイッチ１４ａでは明るさセンサ１４により検出される周囲照度に応じて開閉部１５を開閉させる状態が選択され、かつ切換スイッチ１７では自動モードが選択されているものとする。この場合には、周囲が暗くなり明るさセンサ１４により検出される周囲照度が明るさ設定スイッチ１４ａにより設定されている規定値よりも低くなると、人感センサ１２による人の検知の有無に応じて開閉部１５，１６が制御される。ただし、開閉部１６は換気扇の制御に用いるから、周囲照度には関係なく人感センサ１２による人の検知の有無に応じて制御される。
【００２２】
すなわち、図３（ａ）の左半分に示すように周囲が明るいときには、照明負荷を制御する開閉部１５は、図３（ｃ）のように人感センサ１２によって時刻ｔ１に人が検知されてもオフに保たれる。ここに、図３（ｃ）において破線で示す期間ＡＴ２は、人が検知されることによってタイマ１０ａが時限動作を行っている期間を示している。タイマ１０ａの時限動作は検知信号が発生した時点から開始され、タイマ１０ａの時限動作中（点灯保持時間）に人感センサ１２から検知信号が再び発生するとタイマ１０ａは再トリガされる（点灯保持時間をあらためて時限する）。つまり、タイマ１０ａの時限動作中に次の検知信号が得られる間はタイマ１０ａは時限動作を継続する。したがって、図３（ｃ）に破線で示す期間ＡＴ２は、人がトイレ室に入室してから退室するまでの期間を示している。なお、ここでは人感センサによって人が検知されない状態が点灯保持時間だけ継続した時点を退室の時点としている。一方、換気扇を制御する開閉部１６は、図３（ｂ）のように、人がトイレ室に入室した時点でオンになり、人がトイレ室から退室した時点（点灯保持時間が満了した時点）から運転維持時間（たとえば５分間）ＡＴ１が経過するとオフになる。この運転維持時間ＡＴ１は運転維持時間設定ボリューム１８により可変になっている。
【００２３】
図３（ａ）の右半分に示すように周囲が暗いときには、図３（ｃ）のように人感センサ１２により人が検知された時刻ｔ２の時点で照明負荷を制御する開閉部１５がオンになる。開閉部１５がオンになった後には、周囲が明るいときと同様に、タイマ１０ａの時限動作中に人感センサ１２から検知信号が再び発生するとタイマ１０ａが再トリガされ、タイマ１０ａは時限動作を継続する。開閉部１５はタイマ１０ａの時限動作が継続している期間ＡＴ２にはオン状態を継続する。一方、換気扇を制御する開閉部１６は周囲が明るいときと同様に動作し、図３（ｂ）のようにタイマ１０ａの時限動作が開始されるとオンになり、その後、開閉部１５がオフになってから運転維持時間ＡＴ１の経過後までオンを継続する。
【００２４】
上述の動作説明から明らかなように、周囲が暗いときには、人がトイレ室に入室すると照明負荷が点灯するとともに換気扇が運転を開始し、人が退室すると（人の検知されない状態が点灯保持時間だけ継続すると）照明負荷が消灯し、その後、運転維持時間ＡＴ１が経過すると換気扇が停止するのである。また、周囲が明るいときには、人が入室しても照明負荷は点灯しないが換気扇は運転を開始し、人の退室後に運転維持時間ＡＴ１が経過すると換気扇が停止することになる。
【００２５】
上述の例では明るさセンサ１４による周囲照度の検出に応じて動作を変化させる場合について説明したが、集合住宅などでトイレに窓がない場合には、周囲照度によらず人が入るときには照明負荷を点灯させる必要があるから、この場合には明るさ設定スイッチ１４ａによって明るさセンサ１４を無効とすればよい。
【００２６】
なお、上述の例では点灯保持時間と運転維持時間とを可変とするために、点灯保持時間設定ボリューム１３および運転維持時間設定ボリューム１８を設けた例を示したが、点灯保持時間や運転維持時間を設置環境に応じて調節する必要がない場合、たとえばトイレ室が規格品である場合や簡易的に用いる場合などには、図４に示すように、図１に示した構成から点灯保持時間設定ボリューム１３および運転維持時間設定ボリューム１８を省略し、点灯保持時間および運転維持時間を固定的に設定した構成としてもよい。この構成では保持時間設定ボリューム１３および運転維持時間設定ボリューム１８が不要であるから、部品点数が少なくなる。この構成の場合には、器体３０は図５のようになり、当然ながら点灯保持時間設定ボリューム１３および運転維持時間設定ボリューム１８の操作部は設けられない。図４、図５に示した構成は、点灯保持時間および運転維持時間が固定的に設定される点を除けば図１、図２に示した構成と同様である。
【００２７】
（第２の実施の形態）
本実施形態は、図６に示すように、図１に示した第１の実施の形態の構成に用いた切換スイッチ１７に代えて２つの切換スイッチ１７ａ，１７ｂを設けてある。つまり、第１の実施の形態における切換スイッチ１７は、自動モードでは両開閉部１５，１６をともに人感センサ１２の検知出力に連動させ、入モードや切モードでも両開閉部１５，１６をともにオンまたはオフに保つように制御しているものであったが、本実施形態では各開閉部１５，１６ごとに３モードを選択可能としているのである。つまり、切換スイッチ１７ａでは、人感センサ１２の検知出力に連動させて開閉部１５を制御する自動モードと、人感センサ１２の検知出力とは無関係に開閉部１５をオフに保つ切モードと、人感センサ１２の検知出力とは無関係に開閉部１５をオンに保つ入モードとの３モードが選択可能になり、切換スイッチ１７ｂでは、人感センサ１２の検知出力に連動させて開閉部１６を制御する自動モードと、人感センサ１２の検知出力とは無関係に開閉部１６をオフに保つ切モードと、人感センサ１２の検知出力とは無関係に開閉部１６をオンに保つ入モードとの３モードが選択可能になっているのである。ここに、本実施形態では換気扇の運転維持時間を調節するための運転維持時間設定ボリュームは省略してある。
【００２８】
しかして、本実施形態における熱線式自動スイッチの器体３０には、図７のように、点灯保持時間設定ボリューム１３、切換スイッチ１７ａ、切換スイッチ１７ｂの操作部が設けられる。他の構成は第１の実施の形態と同様である。
【００２９】
本実施形態の構成を採用すれば、たとえば換気扇を掃除する際には換気扇側の切換スイッチ１７ｂを切モードとし、照明負荷側の切換スイッチ１７ａを入モードとしておけば、換気扇は停止させた状態で照明を確保することができ、換気扇の掃除が容易になる。また、清掃後に十分に乾燥させるために換気扇を連続運転するときには換気扇側の切換スイッチ１７ｂを入モードとしておけばよい。
【００３０】
（第３の実施の形態）
本実施形態は、図８に示すように、図１に示した第２の実施の形態における２つの切換スイッチ１７ａ，１７ｂに代えて信号制御部１９ａ，１９ｂおよび各信号制御部１９ａ，１９ｂに対応した入力端子Ｔ４，Ｔ５を設け、外部から切換信号をマイコン１０に与えることができるようにしてある。図１０に示すように、入力端子Ｔ４，Ｔ５には３モードを選択可能な切換スイッチ２０ａ，２０ｂが２線式の接続線Ｌｓを介して接続される。図１０（ｂ）のように、各切換スイッチ２０ａ，２０ｂはロータリスイッチであって、３位置が選択可能な回転式のつまみＭを備えている。つまり、３状態を２線で伝送するためにマイコン１０には信号制御部１９ａ，１９ｂを設けているのである。ここでは接続線Ｌｓの線間電圧を変化させることによって３状態を識別する信号を伝送する。つまり、信号制御部１９ａ，１９ｂでは電流制限をしてスイッチ線Ｌｓの線間に適宜の電圧を印加しておき、切換スイッチ２０ａ，２０ｂは各モードごとに異なるツェナー電圧のツェナーダイオードを介してスイッチ線Ｌｓの線間を短絡させる構成としてある。このような構成によって、スイッチ線Ｌｓの線間電圧がモードごとに変化するから、信号制御部１９ａ，１９ｂでは線間電圧の変化を検出することによって、切換スイッチ２０ａ，２０ｂによりどのモードが選択されているかを知ることができるのである。
【００３１】
なお、本実施形態では第１の実施の形態と同様に切換スイッチ１７を設けてあり、切換スイッチ２０ａ，２０ｂは切換スイッチ１７において自動モードが選択されているときに有効になる。つまり、モードの選択は切換スイッチ１７が優先することになる。また、本実施形態では、換気扇の運転維持時間を調節するための運転維持時間設定ボリュームは省略してある。
【００３２】
本実施形態では、点灯保持時間設定ボリューム１３、明るさ設定スイッチ１４ａ、切換スイッチ１７が器体に設けられるから、図１２に示した従来構成と同様の操作部を備えることになる。ただし、電源端子Ｔ１、２つの出力端子Ｔ２，Ｔ３のほかに、２つの入力端子Ｔ４，Ｔ５を備えるから、図９に示すように、熱線式自動スイッチＩＳ（図１０参照）の器体３０は、フランジ部３１の上面側に突設されたハウジング部３５の上面に、電源端子Ｔ１、出力端子Ｔ２，Ｔ３、入力端子Ｔ４，Ｔ５を構成する電線挿入孔３６が開口する。つまり、電源端子Ｔ１、出力端子Ｔ２，Ｔ３、入力端子Ｔ４，Ｔ５は、板ばねよりなる鎖錠ばねを用いた速結端子であって、電線挿入孔３６を通して器体３０に挿入された電線の先端部を鎖錠ばねのばね力を用いて鎖錠接続するように構成されている。また、電線挿入孔３６の近傍には解除孔３７が形成され、解除孔３７にマイナスドライバの先端部などを挿入すれば鎖錠ばねを撓ませて電線の鎖錠状態を解除することができるようになっている。この種の速結端子の構造は周知のものである。
【００３３】
実際の使用にあたっては、図１０に示すように、トイレ室２１の天井面２２に本実施形態で説明した熱線式自動スイッチＩＳを取り付けるようにし、各出力端子Ｔ２，Ｔ３にそれぞれ照明負荷と換気扇とを負荷線Ｌｄを介して接続し、各入力端子Ｔ４，Ｔ５にはそれぞれ２線式のスイッチ線Ｌｓを介して切換スイッチ２０ａ，２０ｂを接続する。切換スイッチ２０ａ，２０ｂはトイレ室内の壁面に取り付けられ、トイレ室の使用者が容易に操作できるようにしてある。また、電源端子Ｔ１には電線線Ｌｐを介して商用電源が接続される。他の構成および動作は第２の実施の形態と同様である。
【００３６】
【発明の効果】
請求項１の発明は、人体から放射される熱線を検知することにより人の存否を検出する人感センサと、人感センサの出力によりトイレ室内への人の入室および退室を検出するとともに、人感センサによりトイレ室内への人の入室が検出された後に人の検出されない状態が規定の点灯保持時間に達するまでの期間は照明負荷を点灯させる照明制御信号を出力し、少なくとも点灯保持時間の満了後から規定の運転維持時間は換気扇の運転を継続させる換気扇制御信号を出力する制御手段と、照明負荷の点灯・消灯を制御する第１の開閉部と、換気扇の運転・停止を制御する第２の開閉部と、第１の開閉部のオン・オフを照明制御信号に連動させる状態と照明制御信号とは無関係にオンまたはオフにする状態を手操作で選択する第１の切換スイッチが接続される第１の入力端子と、第２の開閉部のオン・オフを運転制御信号に連動させる状態と運転制御信号とは無関係にオンまたはオフにする状態を手操作で選択する第２の切換スイッチが接続される第２の入力端子とを備え、天井面に取り付けるものであり、照明負荷と換気扇とについてそれぞれ人感センサに連動させる状態とオンまたはオフに保つ状態とを個別に選択することができるから、照明負荷と換気扇とを使用状況に応じた動作とすることが可能になる。たとえば、換気扇を掃除する場合には換気扇を停止させ、照明負荷を点灯させるように切換スイッチを設定することが可能になり、利便性が向上する。しかも、切換スイッチは別に設けるから人感センサの位置に制約されることなく切換スイッチを操作しやすい位置に設けることが可能になる。
【００３７】
請求項２の発明は、請求項１の発明において、第１および第２の切換スイッチがトイレ室の壁に取り付けられるものであり、トイレ室の壁に配設した切換スイッチを手操作することで照明負荷や換気扇の動作モードを選択することができるから、トイレ室の使用者の意思によって動作モードを容易に選択することができる。
【００３８】
請求項３の発明は、請求項１又は２の発明において、周囲照度を検出する明るさセンサが付加され、前記制御手段では明るさセンサにより検出される周囲照度が規定値以上であるときには照明制御信号による第１の開閉部の制御を無効にして照明負荷を消灯状態に保つものであり、昼間のように周囲照度が高いときには照明負荷を点灯させることがなく、無駄な電力消費を抑制することができる。
【図面の簡単な説明】
【図１】本発明の第１の実施の形態を示すブロック図である。
【図２】同上において化粧プレートを外した状態の下面図である。
【図３】同上の動作説明図である。
【図４】参考例を示すブロック図である。
【図５】図４に示した参考例において化粧プレートを外した状態の下面図である。
【図６】本発明の第２の実施の形態を示すブロック図である。
【図７】同上において化粧プレートを外した状態の下面図である。
【図８】本発明の第３の実施の形態を示すブロック図である。
【図９】同上において化粧プレートを外した状態の平面図である。
【図１０】（ａ）は同上の使用例を示す結線図、（ｂ）は同上に用いる切換スイッチの正面図である。
【図１１】従来構成の動作説明図である。
【図１２】同上において化粧プレートを外した状態の下面図である。
【図１３】他の従来構成を示す化粧プレートを外した状態の下面図である。
【符号の説明】
１０  マイコン
１０ａ  タイマ
１２  人感センサ
１３  点灯保持時間設定ボリューム
１４  明るさセンサ
１５，１６  開閉部
１７  切換スイッチ
１７ａ，１７ｂ  切換スイッチ
１８  運転維持時間設定ボリューム
１９ａ，１９ｂ  信号制御部
２０ａ，２０ｂ  切換スイッチ
Ｔ４，Ｔ５  入力端子
【図１】
0003567816.tif 000002
【図２】
0003567816.tif 000003
【図３】
0003567816.tif 000004
【図４】
0003567816.tif 000005
【図５】
0003567816.tif 000006
【図６】
0003567816.tif 000007
【図７】
0003567816.tif 000008
【図８】
0003567816.tif 000009
【図９】
0003567816.tif 000010
【図１０】
0003567816.tif 000011
【図１１】
0003567816.tif 000012
【図１２】
0003567816.tif 000013
【図１３】
0003567816.tif 000014